(57)【特許請求の範囲】
【請求項１】
中央に挿入孔（１３）が設けられた管状本体（１２）と、前記管状本体（１２）の外周面の両端にそれぞれに所定の幅にて挿入された一対のキャップ（１４）と、を有する、歯列を矯正治療するための歯列矯正治療用チューブにおいて、
前記一対のキャップ（１４）の一方と他方との間には、前記管状本体（１２）の外周面に塗布される接着剤（４）が該管状本体（１２）の挿入孔（１３）を通じて該管状本体（１２）の内部に流れて行くことを防止する接着空間（１１）が設けられ、
前記管状本体（１２）を歯面に接着する時に施術者によって前記管状本体（１２）の接着方向が歪んだ状態が容易に確認されるように、前記管状本体（１２）の挿入孔（１３）には、チューブガイド（１６）が挿入され、かつ、該チューブガイド（１６）の両端それぞれが、前記管状本体（１２）の両側で所定の長さだけ突出されている
ことを特徴とする歯列矯正治療用チューブ。
【請求項２】
歯面に付着される管状本体（１２）の付着高さが調節されるように、前記一対のキャップ（１４）の一方または両方の側面が一部除去されていることを特徴とする請求項１に記載の歯列矯正治療用チューブ。
【請求項３】
中央に挿入孔（１３）が設けられた管状本体（１２）と、中央に前記管状本体（１２）を挿入する挿入孔（１７ａ）が設けられた管状本体挿入管（１７）とを有する、歯列を矯正治療するための歯列矯正治療用チューブにおいて、
（イ）前記管状本体挿入管（１７）の外周面の両端には、それぞれ、一対のフランジ（１７ｂ）が所定の幅にて突出して設けられ、前記一対のフランジ（１７ｂ）の間には接着剤（４）が収容され、かつ、
（ロ）前記一対のフランジ（１７ｂ）の一方と他方との間には、前記管状本体挿入管（１７）の外周面に塗布される接着剤（４）が前記管状本体（１２）の挿入孔（１３）を介して該管状本体（１２）の内部に流れて行くことを防止する接着空間（１１）が設けられ、
前記管状本体挿入管（１７）を歯面に接着する時に施術者が前記管状本体挿入管（１７）の接着方向が歪んだ状態が容易に確認されるように、前記管状本体挿入管（１７）に挿入された該管状本体（１２）の挿入孔（１３）には、チューブガイド（１６）が挿入され、かつ、該チューブガイド（１６）の両端それぞれが、前記管状本体挿入管（１７）の両側で所定の長さだけ突出されている
ことを特徴とする歯列矯正治療用チューブ。
【請求項４】
歯面に付着される管状本体挿入管（１７）の付着高さが調節されるように、前記一対のフランジ（１７ｂ）の一方または両方の側面が一部除去されていることを特徴とする請求項３に記載の歯列矯正治療用チューブ。
【発明の詳細な説明】
【技術分野】
【０００１】
本発明は歯列矯正器具に関するものであって、もっと詳しくは歯列矯正治療用チューブ（ｏｒｔｈｏｄｏｎｔｉｃ  ｔｒｅａｔｍｅｎｔ  ｔｕｂｅ）に関するものである。
【背景技術】
【０００２】
一般的に歯が歪み、歯列が歪む状態を、歯医学用語として不正咬合（ｍａｌｏｃｃｌｕｓｉｏｎ）といい、このような不正咬合を矯正する治療を矯正治療（ｏｒｔｈｏｄｏｎｔｉｃ  ｔｒｅａｔｍｅｎｔ）という。歯や歯列の不正咬合の場合、外観が良くなく、飲食物をかみにくく、歯の間から空気が漏れるために会話をする時に発音が不明確になるなど、さまざまな障害が発生する。
【０００３】
したがって、このような障害を解消するために歯を矯正する歯列矯正装置が多様に開発されて使われており、大体従来の歯列矯正装置は、両側に一対の拘束羽を有するブラケットと矯正線および結束タイなどで構成されている。このようなブラケットを利用する歯列矯正装置は、少なくともに数ヶ月間、長ければ数年間装着して使用する。
【０００４】
しかし、歯列矯正治療の被施術者の中にブラケットで構成された歯列矯正装置を施術しにくい場合や部分的な歯列矯正が必要な場合には、小型中空管形態のチューブを利用した歯列矯正方法が利用されている。
【０００５】
図１を参照すると、従来のチューブを利用した歯列矯正方法はチューブ切断工程Ｓ１と、チューブ接着工程Ｓ２、およびワイヤ挿入工程Ｓ３を順次有する。チューブ切断工程Ｓ１では、０．４〜０．６ｍｍの内径を有する小型の中空管１を所定の長さで切断して、歯矯正に用いるチューブ２を形成する。チューブ接着工程Ｓ２では、歯列矯正しようとする歯３に対して、接着剤４を利用してチューブ２を接着する。ワイヤ挿入工程Ｓ３では、歯３に接着されたチューブ２にワイヤ５を挿入させた後、挿入されたワイヤ５の両端を曲げることによって、チューブ２を用いた歯列矯正が施される。
【発明の概要】
【発明が解決しようとする課題】
【０００６】
しかし、前述したような従来のチューブ２を利用した歯列矯正方法では以下のような問題点があった。
【０００７】
第一に、歯３にチューブ２を接着する時に、チューブ２の両側孔を通じてチューブ２の内部に接着剤４が流れて行った後に凝固されるために、チューブ２の内部にワイヤ５を挿入しにくいとか、挿入することができないといった問題が発生する。特に、この問題を回避しようとして施術者が少量の接着剤４をチューブ２に塗布する場合には、接着力の低下によって歯３からチューブ２が離脱してしまうという問題がある。
【０００８】
第二に、接着剤４がチューブ２の外周縁全体に平坦に塗布されなくて中央にふっくらとして塗布されるから、美観が悪い。
【０００９】
第三に、歯面が平坦でない歯３については、歯面に合わせてチューブ２の高低を調節しながらチューブ２を歯面に付着しなければならないが、チューブ２は根本的に高低を調節することができないので、施術者が接着剤４の量でチューブ３の付着の高さを調節しなければならないという不便さがあり、実際に施術者が接着剤４の量を調節して所望の水準でチューブ３の付着の高さを調節することは困難である。
【００１０】
第四に、チューブ２を歯３から取り外す時はプライヤのような工具でチューブ２の中央を挟んでチューブ２の両側を把持して適当な力を加えて振りながら相互に接着された歯３とチューブ２との間が空くようにしてチューブ２を取り外し、従来のチューブ２は小型であるので、チューブ２の両側を容易に把持して適当な力を加えにくい欠点がある。
【００１１】
第五に、従来のチューブ２は小型であるので、歯列矯正のためにチューブ２を歯面に接着するうちにチューブ２の接着方向が歪む場合が発生しても、施術者がチューブ２の接着方向が歪んだ状態を容易に確認することができない欠点があり、その結果として歯列矯正のためのチューブ２の全体配列状態が歪んで補正作業を引き起こす厄介なところがある。
【００１２】
第六に、従来のチューブ２を間接付着施術側式で歯面に接着するために、歯列模型のトレーを使う場合、通常の歯列模型のトレーに配置されたチューブ２の接着強度を増大するためにチューブ２表面をサンドブラスト処理し、この時チューブ２が歯列の模型のトレーからたやすく離脱される欠点がある。
【００１３】
本発明は従来技術におけるかかる事情に鑑みてなされたものであって、その目的は、管状本体と前記管状本体の両端それぞれに具備されてその間に接着剤を収容し、接着剤が前記管状本体の挿入孔を通じて管状本体の内部に流れて行くことを防止する接着空間を形成する一対のキャップを具備した歯列矯正治療用チューブを提供することにある。
【００１４】
本発明の他の目的は、決まった高さで前記管状本体の両端に具備される一対のキャップの一側あるいは両側を一部取り除去することによって、歯面に付着される管状本体の付着の高さを調節することができる歯列矯正治療用チューブを提供することにある。
【００１５】
本発明のまた他の目的は、一対のキャップが前記管状本体の外周縁に形成する接着空間は施術者が接着空間に接着剤を塗布する時に歯面と接着空間との間に歪んだ歯の方向を矯正するためのワイヤを締結することができる歯列矯正孔を管状本体に対して垂直方向に形成することができるようにする歯列矯正治療用チューブを提供することにある。
【００１６】
本発明のまた他の目的は、歯列矯正のために管状本体を歯面に接着するうちに施術者が管状本体の接着方向が歪んだ状態を容易に確認することができるようにするために前記管状本体に挿入されて、前記管状本体の両側から所定の長さだけ突出されるチューブガイドをさらに具備した歯列矯正治療用チューブを提供することにある。
【００１７】
本発明のまた他の目的は、中央に前記管状本体が挿入され、外周縁の両端それぞれに所定の幅で一対のフランジが突出形成されて、その間に接着剤を収容し、接着剤が前記管状本体の挿入孔を通じて管状本体の内部に流れて行くことを防止する接着空間を形成する管状本体挿入管を具備した歯列矯正治療用チューブを提供することにある。
【００１８】
本発明のまた他の目的は、決まった高さで前記管状本体挿入管の両端に具備される一対のフランジの一側あるいは両側の全部を一部除去することによって、歯面に付着される管状本体挿入管の付着高さを調節することができる歯列矯正治療用チューブを提供することにある。
【００１９】
本発明のまた他の目的は、一対のフランジが前記管状本体挿入管の外周縁に形成する接着空間は、施術者が接着空間に接着剤を塗布する時の歯面と接着空間との間に歪んだ歯の方向を矯正するためのワイヤを締結することができる歯列矯正孔を管状本体挿入管に対して垂直方向に形成することができるようにする歯列矯正治療用チューブを提供することにある。
【００２０】
本発明のまた他の目的は、歯列矯正のために管状本体挿入管を歯面に接着するうちに施術者が管状本体挿入管の接着方向が歪んだ状態を容易に確認することができるようにするために前記管状本体に挿入されて、前記管状本体挿入管の両側から所定の長さだけ突出されるチューブガイドをさらに具備した歯列矯正治療用チューブを提供することにある。
【課題を解決するための手段】
【００２１】
上記目的を達成するためになされた本発明の第１実施形態に係る歯列矯正治療用チューブは、中央に挿入孔が形成された管状本体と、前記管状本体の外周面の両端それぞれに所定の幅に挿入されて、その間に接着剤を収容し、接着剤が前記管状本体の挿入孔を通じて管状本体の内部に流れて行くことを防止する接着空間を形成する一対のキャップとで構成されていることを特徴とする。
【００２２】
本発明の第１実施形態による歯列矯正治療用チューブは、一対のキャップの中で一側あるいは両側全部を一部除去することによって、歯面に付着される管状本体の付着高さを調節することができることを特徴とする。
【００２３】
本発明の第１実施形態による歯列矯正治療用チューブにおいて、一対のキャップが前記管状本体の外周縁に形成する接着空間は、施術者が前記接着空間に接着剤を塗布する時に、歯面と接着空間との間に歪んだ歯の方向を矯正するためのワイヤを締結することができる歯列矯正孔を管状本体に対して垂直方向に形成することができるようにすることを特徴とする。本発明の第１実施形態による歯列矯正治療用チューブは、歯列矯正のために前記管状本体を歯面に接着するうちに施術者が管状本体の接着方向が歪んだ状態を容易に確認することができるようにするために前記管状本体の挿入孔に挿入されて両端それぞれが前記管状本体の両側から所定の長さだけ突出されるチューブガイドをさらに構成されることを特徴とする。
【００２４】
本発明の第２実施形態による歯列矯正治療用チューブは、中央に挿入孔が形成された管状本体；および中央に前記管状本体が挿入される挿入孔が形成され、外周面の両端それぞれに所定の幅に一対のフランジが突出形成されて、その間に接着剤を収容して接着剤が前記管状本体の挿入孔を通じて管状本体の内部に流れて行くことを防止する接着空間を形成する管状本体挿入管；から構成されることを特徴とする。
【００２５】
本発明の第２実施形態による歯列矯正治療用チューブは、一対のフランジの中で一側あるいは両側全部を一部除去することで歯面に付着する管状本体挿入管の付着高さを調節することができることを特徴とする。
【００２６】
本発明の第２実施形態による歯列矯正治療用チューブにおいて、一対のフランジが前記管状本体挿入管の外周縁に形成する接着空間は施術者が接着空間に接着剤を塗布する時に歯面と接着空間との間に歪んだ歯の方向を矯正するためのワイヤを締結することができる歯列矯正孔を管状本体挿入管に対して垂直方向に形成することができるようにすることを特徴とする。
【００２７】
本発明の第２実施形態による歯列矯正治療用チューブは、歯列矯正のために前記管状本体挿入管を歯面に接着するうちに術者が管状本体挿入管の接着方向が歪んだ状態を容易に確認することができるようにするために前記管状本体挿入管に挿入された管状本体の挿入孔に挿入され、両端それぞれが前記管状本体挿入管の両側から所定の長さだけ突出されるチューブガイドをさらに構成されることを特徴とする。
【発明の効果】
【００２８】
以上説明したように本発明によれば、一対のキャップが管状本体の外周縁に挿入されて形成する接着空間に接着剤を塗布するので、キャップが塗布される接着剤が管状本体の内部に流れて行くことを防止しながら管状本体の内部にワイヤを容易に挿入することができる。
【００２９】
本発明によれば、施術者が必要に応じてキャップの一部を除去することができるので歯面に付着される管状本体の付着高さを容易に調節することができる。
【００３０】
本発明によれば、接着空間の全般に接着剤を平坦に塗布することができるので、管状本体を歯に堅固に接着することができる十分な接着力を維持しながら美観を改善することができる。
【００３１】
本発明によれば、管状本体の両側に挿入されたキャップを容易に把持することができるので、従来のチューブに比べて相対的に容易にチューブを歯から取り外すことができる。
【００３２】
本発明によれば、管状本体の両側から所定の長さだけ突出されるチューブガイドが管状本体に挿入されているので、施術者が歯列矯正のためにチューブを歯面に接着するうちに管状本体の接着方向が歪んだ状態を容易に確認することができる。
【００３３】
本発明によるチューブを間接付着施術側式で歯面に接着するために歯列模型のトレーを使う場合、歯列模型のトレーに配置された管状本体の接着強度を増大するために管状本体表面にサンドブラスト処理を施しても、管状本体の両側にキャップが挿入されているとか、あるいは、チューブガイドが管状本体に追加に挿入されることによってチューブが歯列模型のトレーから容易に離脱しなくなるという利点がある。
【００３４】
本発明によれば、一対のフランジが管状本体挿入管の外周縁に形成する接着空間に接着剤を塗布するので、フランジが塗布される接着剤が管状本体の内部に流れて行くことを防止しつつ、管状本体の内部にワイヤを容易に挿入することができる。
【００３５】
本発明によれば、施術者が必要に応じてフランジの一部を除去することができるので、歯面に付着される管状本体挿入管の付着高さを容易に調節することができる。
【００３６】
本発明によれば、接着空間の全般に接着剤を平坦に塗布することができるので管状本体挿入管を歯に堅固に接着することができる十分な接着力を維持しながら美観を改善することができ、特に、金属で構成された管状本体が管状本体挿入管の内部に挿入されて露出されないので、管状本体を歯に直接に付着する場合に比べて美観がより一層改善される。
【００３７】
本発明によれば、管状本体挿入管の両側に形成されたフランジを容易に把持することができるので、従来のチューブに比べて相対的に容易にチューブを歯から取り外すことができる。
【００３８】
本発明によれば、管状本体挿入管の両側から所定の長さだけ突出されるチューブガイドが管状本体に挿入されているので、施術者が歯列矯正のためにチューブを歯面に接着するうちに管状本体挿入管の接着方向が歪んだ状態を容易に確認することができる。
【００３９】
本発明によるチューブを間接付着施術側式で歯面に接着するために歯列模型のトレーを使う場合、歯列模型のトレーに配置された管状本体挿入管の接着強度を増大するために管状本体挿入管の表面にサンドブラスト処理を施しても管状本体挿入管の両側にフランジが形成されてあるとか、あるいは、チューブガイドが管状本体に追加に挿入されることによってチューブが歯列模型のトレーからやすく離脱されない利点がある。
【図面の簡単な説明】
【００４０】
【図１】従来のチューブを利用した歯列矯正方法の一実施形態を示した図である。
【図２】本発明の第１実施形態によるチューブの分解斜視図である。
【図３】本発明の第１実施形態によるチューブの断面図である。
【図４】本発明の第１実施形態によるチューブが歯に付着された状態を示した断面図である。
【図５】図４に歯列矯正孔が形成された状態を示した断面図である。
【図６】歪んだ歯の方向を矯正するために図５の歯列矯正孔にワイヤを締結した状態を示した図である。
【図７】本発明の第２実施形態によるチューブの分解斜視図である。
【図８】本発明の第２実施形態によるチューブの断面図である。
【図９】本発明の第２実施形態による他のチューブが歯に付着した状態を示した断面図である。
【図１０】図９に歯列矯正孔が形成された状態を示した断面図である。
【図１１】歪んだ歯の方向を矯正するために図１０の歯列矯正孔にワイヤを締結した状態を示した図である。
【発明を実施するための形態】
【００４１】
以下、本発明の実施形態を添付の図面を参照してもっと詳細に説明する。
【００４２】
［第１実施形態］
図２ないし図３を参照すると、本発明の第１実施形態に係るチューブ１０は、管状本体１２と、この管状本体１２の両端それぞれに設けられた一対のキャップ１４とで構成されており、必要に応じて、管状本体１２に挿入されて、両端それぞれが管状本体１２の両側から所定の長さだけ突出されるチューブガイド１６が設けられている。
【００４３】
管状本体１２は、中央を貫通する挿入孔１３が形成された中空管の形状を有し、必要に応じてチューブガイド１６が挿入孔１３に挿入される。好ましくは、管状本体１２の挿入孔１３の両端には、チューブガイド１６と矯正用ワイヤとの挿入が容易となるように、内側の面取り加工または内側ラウンディング加工を施した本体拡管部１２ａが設けられている。また、管状本体１２は金属材料で構成されているのが望ましい。
【００４４】
一対のキャップ１４は、管状本体１２の外周面の両端それぞれに所定の幅に挿入されており、一対のキャップ１４の間には、接着剤を収容するとともに接着剤が管状本体１２の挿入孔１３を介して管状本体１２の内部に流れて行くことを防止する接着空間１１が設けられている。
【００４５】
一対のキャップ１４は、それぞれ歯科治療用レジンやポリマーレジンで構成されており、好ましくは射出成形や接合などの方法で形成されたものである。
【００４６】
キャップ１４の一端には、内側面取り加工で形成されたキャップ拡管部１５が設けられている。このキャップ拡管部１５は、管状本体１２とキャップ１４との間の接着空間１１に塗布される接着剤がキャップ拡管部１５に浸透されて凝固されるようにする。これにより、本発明の第１実施形態によるチューブ１０と歯面との間の固定力を増大させることができる。
【００４７】
一対のキャップ１４における一側あるいは両側全部は、歯面に付着される管状本体１２の付着高さを調節するために、一部を除去して使用することができる。
【００４８】
チューブガイド１６は、歯列矯正のために管状本体１２を歯面に接着するうちに施術者が管状本体１２の接着方向が歪んだ状態を容易に確認することができるようにするために管状本体１２の挿入孔１３に挿入され、両端それぞれが管状本体１２の両側から所定の長さだけ突出される。チューブガイド１６の直径は、管状本体１２の挿入孔１３の直径と同一であるとか、若干小さいのが望ましい。
【００４９】
本発明の第１実施形態に係る上記構成を有する歯列矯正治療用チューブ１０の例示的使用態様は以下のとおりである。
【００５０】
図４に示すように、施術者は、両端にキャップ１４を取り付けた管状本体１２で構成されたチューブ１０を、矯正しようとする歯３に直接接着する、あるいは施術する被施術者の歯模型のトレーに接着するなどする。
【００５１】
これに対して、施術者が管状本体１２の挿入孔１３にチューブガイド１６を挿入し、チューブ１０を歯３に接着すると、管状本体１２の両側から所定の長さだけ突出されたチューブガイド１６を肉眼で確認しながら、管状本体１２の接着方向が歪んだ状態を容易に確認することができる。歯列矯正のためにチューブガイド１６を利用してチューブ１０を歯３に接着する場合には、チューブ１０の接着作業が完了した後、管状本体１２からチューブガイド１６を抜き出す。
【００５２】
参考として、施術者がチューブ１０を間接付着施術方式で歯面に接着するために歯列模型のトレーを使う場合には、歯列模型のトレーの両端に一対のキャップ１４が具備された管状本体１２を配置するとか、あるいは両端に一対のキャップ１４を取り付けて挿入孔１３にチューブガイド１６を挿入させた管状本体１２を配置するので、歯列模型のトレーに配置された管状本体１２の接着強度を増大するために管状本体１２の表面にサンドブラスト処理を施しても、従来のチューブ２だけを歯列模型のトレーに配置した場合に比べて相対的にチューブ１０が歯列模型のトレーから容易に離脱しなくなる。
【００５３】
前述したごとく歯列矯正のために歯３にチューブ１０を接着する時、接着剤４は一対のキャップ１４によって管状本体１２の外周縁に設けられる接着空間１１に塗布され、塗布された接着剤４は管状本体１２の外周縁に沿って平坦に広がりながら凝固されるが、管状本体１２の両端それぞれに取り付けられた一対のキャップ１４の厚さに対応する高さによって、接着剤４が管状本体１２の内部に流れて行くのが防止される。
【００５４】
このように接着空間１１の全般に接着剤４を平坦に塗布すると、管状本体１２を歯３に堅固に接着するのに十分な接着力を維持しつつ美観が改善され、特に、チューブ１０が歯３に完全に接着された後、管状本体１２の内部にワイヤ５を容易に挿入することができるようになる。
【００５５】
また、施術者が、歯面が平坦でない歯３にチューブ１０を接着する場合、必要に応じて一対のキャップ１４中で、一側あるいは両側全部を一部除去すると、管状本体１２の付着高さを容易に調節することができる。
【００５６】
また、歯列矯正のためにチューブ１０を歯３に完全に接着した後、チューブ１０を除去しようとする場合、あるいは歯列矯正が完了した後、歯３からチューブ１０を除去しようとする場合、施術者はプライヤなどの工具で管状本体１２の中央を挟んで管状本体１２の両側に具備された一対のキャップ１４を容易に把持することができるから、従来のチューブ２に比べて相対的に容易にチューブ１０を歯３から取り外すことができる。
【００５７】
一方、図５に示すように、歯列矯正のためにチューブ１０を歯３に接着するうちに、いくつかの歯３の中で、内曲がりの歯のように歪んだ歯３の方向を矯正する必要がある場合、施術者は接着空間１１に接着剤４を塗布する時、歯面と接着空間１１との間に歪んだ歯３の方向を矯正するためのワイヤ５を締結することができる歯列矯正孔１１ａを管状本体１２に対して垂直方向に形成することができる。例えば、歯列矯正孔１１ａは、接着空間１１に接着剤４を塗布する時に歯列矯正孔１１ａが形成される部分に接着剤４を塗布しないとか、あるいは歯列矯正孔１１ａが形成される部分にワイヤ５を位置付けてから接着剤４を塗布した後、塗布された接着剤４が凝固される前に適切な時期に該当ワイヤ５を除去することによって形成することができる。
【００５８】
前述したごとく歯列矯正孔１１ａを形成すれば、歯列矯正のためにチューブ１０を歯３に完全に接着した後、図６に示すように、施術者は歯３それぞれに接着されたチューブ１０にワイヤ５を挿入して挿入されたワイヤ５の両端を曲げることによってチューブ１０を利用した歯列矯正を施すことができる。
【００５９】
この時、内曲がりの歯のように歪んだ歯３の方向を矯正する必要がある場合、施術者は管状本体１２に対して垂直方向に形成された歯列矯正孔１１ａにワイヤ５を挿入した後、このワイヤ５を隣の他の歯３の歯列矯正孔１１ａに挿入して歪んだ歯３の方向を矯正する力を受けるように締めたり、別途の締め器具や締結器具で両端を固定したりして歪んだ歯３の方向を矯正する。
【００６０】
［第２実施形態］
図７ないし図８は、本発明の第２実施形態によるチューブ１０’の分解斜視図および断面図である。前述した本発明の第１実施形態によるチューブ１０の場合、一対のキャップ１４が管状本体１２の外周縁に形成する接着空間１１に接着剤４を塗布すると、歯３の色相と透明または半透明な塗布された接着剤４を通じて露出される金属からなる管状本体１２の色相が対比されて、歯列矯正のために管状本体１２を歯３に接着した後、美観が悪くなるという欠点があり、このような欠点は歯列矯正治療を受ける被施術者の心理的な拒否感を発生させる。
【００６１】
したがって、このような本発明の第１実施形態によるチューブ１０の欠点を解決するために、本発明の第２実施形態では、歯列矯正のために管状本体１２が圧入方式に挿入される挿入孔１７ａが形成されている管状本体挿入管１７を歯３に接着する改善されたチューブ１０’を例示する。
【００６２】
本発明の第２実施形態によれば、実際に金属で構成されている管状本体１２が管状本体挿入管１７の内部に挿入されて露出されないので、管状本体１２を歯３に直接付着する本発明の第１実施形態に比べて美観がより一層改善される。
【００６３】
図７ないし図８、そして以下の説明で参照する図９ないし図１１に示す本発明の第２実施形態に係るチューブ１０’の構成要素のうち第１実施形態に係るチューブ１０の構成要素と同一の構成要素には同一の引用符号を付するものとする。
【００６４】
また、以下では本発明の第１実施形態によるチューブ１０についてした説明と重複する記載については省略するものとし、本発明の第２実施形態に係るチューブ１０’の管状本体挿入管１７に関わる構成と作用を中心に説明することにする。
【００６５】
図７ないし図８に示すように、本発明の第２実施形態に係るチューブ１０’は、管状本体１２と管状本体挿入管１７とで構成され、必要に応じて前述した管状本体１２に挿入され、両端それぞれが管状本体挿入管１７の両側から所定の長さだけ突出されるチューブガイド１６をさらに有している。
【００６６】
管状本体１２は管状本体挿入管１７に圧入方式で挿入されて固定される。管状本体挿入管１７は中央に管状本体１２が挿入される挿入孔１７ａが形成され、外周面の両端それぞれに所定の幅に一対のフランジ１７ｂが突出形成されていて、一対のフランジ１７ｂの間には、接着剤４を収容するとともに、接着剤４が管状本体１２の挿入孔１３を介して管状本体１２の内部に流れて行くことを防止する接着空間１１が設けられている。
【００６７】
好ましくは、管状本体挿入管１７の挿入孔１７ａの両端には、管状本体１２を挿入しやすいように、内側の面取り加工またはラウンディング加工で形成された挿入管拡管部１７ｃが形成されている。
【００６８】
管状本体挿入管１７は、歯科治療用レジンやポリマーレジンで構成されており、好ましくは射出成形や接合などの方法で形成されたものである。
【００６９】
管状本体挿入管１７の一対のフランジ１７ｂは、それぞれ相互に対向する一端に管状本体挿入管１７の端方向に斜めにアンダーカット加工された接着剤浸透溝１７ｄを形成し、この接着剤浸透溝１７ｄは管状本体挿入管１７とフランジ１７ｂとの間の接着空間１１に塗布される接着剤が接着剤浸透溝１７ｄに浸透されて凝固されるようにすることによって、本発明の第２実施形態によるチューブ１０’と歯面との間の固定力を増大させることができる。一対のフランジ１７ｂのうち一側あるいは両側全部は、歯面に付着される管状本体挿入管１７の付着高さを調節するために一部が除去されて使われることができる。
【００７０】
チューブガイド１６は、歯列矯正のために管状本体挿入管１７を歯面に接着するうちに施術者が管状本体挿入管１７の接着方向が歪んだ状態を容易に確認することができるようにするために、管状本体挿入管１７に挿入された管状本体１２の挿入孔１３に挿入され、両端それぞれが管状本体挿入管１７の両側から所定の長さだけ突出される。
【００７１】
チューブガイド１６の直径は管状本体１２の挿入孔１３の直径と同一であるとか、若干小さいのが望ましい。
【００７２】
本発明の第２実施形態に係る上記構成を有する歯列矯正治療用チューブ１０’の例示的使用態様は以下のとおりである。
【００７３】
図９に示すように、施術者は両端にフランジ１７ｂが具備され、挿入孔１７ａに管状本体１２が挿入された管状本体挿入管１７から構成されたチューブ１０’を矯正しようとする歯３に直接接着する、あるいは施術する被施術者の歯模型のトレーに接着する。
【００７４】
これに対して、施術者が管状本体１２の挿入孔１３にチューブガイド１６を挿入し、チューブ１０’を歯３に接着すれば、管状本体挿入管１７の両側から所定の長さだけ突出されたチューブガイド１６を肉眼で確認しながら管状本体挿入管１７の接着方向が歪んだ状態を容易に確認することができる。歯列矯正のためにチューブガイド１６を利用してチューブ１０’を歯３に接着する場合には、チューブ１０’の接着作業が完了した後、管状本体挿入管１７に挿入された管状本体１２からチューブガイド１６を抜き出す。
【００７５】
参考として、施術者がチューブ１０’を間接付着施術方式で歯面に接着するために歯列模型のトレーを使う場合、歯列模型のトレーに、両端に一対のフランジ１７ｂが具備され、内部に管状本体１２が圧入方式に挿入された管状本体挿入管１７を配置するとか、あるいは、両端に一対のフランジ１７ｂが具備され、内部に圧入方式で挿入された管状本体１２の内部にチューブガイド１６が挿入された管状本体挿入管１７を配置するので、歯列模型のトレーに配置された管状本体挿入管１７の接着強度を増大するために管状本体挿入管１７の表面にサンドブラスト処理を施しても、従来のチューブ２だけを歯列模型のトレーに配置した場合に比べて、相対的にチューブ１０’が歯列の模型のトレーから容易に離脱しなくなる。
【００７６】
前述したごとく歯列矯正のために歯３にチューブ１０’を接着する時、接着剤４は一対のフランジ１７ｂが管状本体挿入管１７の外周縁に形成する接着空間１１に塗布され、塗布される接着剤４は管状本体挿入管１７の外周縁に沿って平坦に広がりながら凝固されるが、管状本体挿入管１７の両端それぞれに具備された一対のフランジ１７ｂの厚さほどの高さによって管状本体挿入管１７の挿入孔１７ａに挿入された管状本体１２の内部に流れて行くのが防止される。
【００７７】
このようにして接着空間１１の全般に接着剤４を平坦に塗布すると、管状本体挿入管１７を歯３に堅固に接着することができる十分な接着力を維持しつつ美観を改善し、特にチューブ１０’が歯３に完全に接着された後、管状本体１２の内部にワイヤ５を容易に挿入することができるようになる。
【００７８】
また、施術者が、歯面が平坦でない歯３にチューブ１０’を接着する場合、必要に応じて一対のフランジ１７ｂの中で、一側あるいは両側全部の一部を除去すると、管状本体挿入管１７の付着高さを容易に調節することができる。
【００７９】
また、歯列矯正のためにチューブ１０’を歯３に完全に接着してから、チューブ１０’を除去しようとする場合、あるいは歯列矯正が完了の後、歯３からチューブ１０’を除去しようとする場合、施術者はプライヤのような工具で管状本体挿入管１７の中央を挟んで、管状本体挿入管１７の両側に具備された一対のフランジ１７ｂを容易に把持することができるので、従来のチューブ２に比べて相対的に容易くチューブ１０’を歯３から取り外すことができる。
【００８０】
一方、図１０を参照すれば、歯列矯正のためにチューブ１０’を歯３に接着するうちにいくつかの歯３の中で、内曲がりの歯のように歪んだ歯３の方向を矯正する必要がある場合、施術者は接着空間１１に接着剤４を塗布する時、歯面と接着空間１１との間に歪んだ歯３の方向を矯正するためのワイヤ５を締結することができる歯列矯正孔１１ａを管状本体挿入管１７に対して垂直方向に形成することができる。例えば、歯列矯正孔１１ａは接着空間１１に接着剤４を塗布する時、歯列矯正孔１１ａが形成される部分に接着剤４を塗布しないとか、あるいは、歯列矯正孔１１ａが形成される部分にワイヤ５を位置させてから、接着剤４を塗布した後、塗布された接着剤４が凝固される前に適切な時期に該当のワイヤ５を除去することによって形成することができる。
【００８１】
前述したごとく歯列矯正孔１１ａを形成すれば、歯列矯正のためにチューブ１０’を歯３に完全に接着してから、図１１に示したように術者は歯３それぞれに接着されたチューブ１０’にワイヤ５を挿入してから挿入されたワイヤ５の両端を曲げることによって、チューブ１０’を利用した歯列矯正を施行することができる。
【００８２】
この時、内曲がりの歯のように歪んだ歯３の方向を矯正する必要がある場合、施術者は管状本体挿入管１７に対して垂直方向に形成された歯列矯正孔１１ａにワイヤ５を挿入した後、このワイヤ５を隣の他の歯３の歯列矯正孔１１ａに挿入して歪んだ歯３の方向を矯正する力を受けるように締めたり、別途の締め器具や締結器具で両端を固定したりすることによって歪んだ歯３の方向を矯正する。
【００８３】
以上、本発明に係る歯列矯正治療用チューブの複数の実施形態を説明したが、これらの実施形態は例示的なものであって、本発明は前述した実施形態に限定されるものではない。したがって、本発明は、特許請求の範囲で請求される本発明の要旨を逸脱しない範囲で、本発明が属する分野において通常の知識を有する者により適宜変更して実施されることができる。
【符号の説明】
【００８４】
１      中空管
２      チューブ
３      歯
４      接着剤
５      ワイヤ
１０    チューブ
１０'   チューブ
１１    接着空間
１１ａ  歯列矯正孔
１２    管状本体
１２ａ  本体拡管部
１３    挿入孔
１７ａ  挿入孔
１４    キャップ
１５    キャップ拡管部
１６    チューブガイド
１７    管状本体挿入管
１７ｂ  フランジ
１７ｃ  挿入管拡管部
１７ｄ  接着剤浸透溝
【図１】
0005871261.tif 000002
【図２】
0005871261.tif 000003
【図３】
0005871261.tif 000004
【図４】
0005871261.tif 000005
【図５】
0005871261.tif 000006
【図６】
0005871261.tif 000007
【図７】
0005871261.tif 000008
【図８】
0005871261.tif 000009
【図９】
0005871261.tif 000010
【図１０】
0005871261.tif 000011
【図１１】
0005871261.tif 000012